(57)【要約】【課題】プリンティングのためのシステム認識時間を短縮させ、また、記録媒体の転写に必要な電源を正確に決定する。【解決手段】本発明によれば、記録媒体を移送する移送ベルトを含む移送部と、前記記録媒体の移送方向を基準として最上流に配置され、前記記録媒体を前記移送ベルトに吸着させる吸着部と、感光体及び転写ローラを備えて前記記録媒体を複数の色相によって転写する複数の転写部と、前記記録媒体の転写及び吸着のために、前記転写部及び前記吸着部に電界を形成するための電源を供給する電源供給部と、前記複数の転写部のうち、前記記録媒体の移送方向を基準として前記吸着部から最も近い第１転写部の下流に配置された第２転写部の抵抗値に対応する電源を前記複数の転写部に供給するように前記電源供給部を制御する制御部と、を備える画像形成装置と画像形成装置の転写方法が提供される。【選択図】図３
2008165176.tif 000002
【特許請求の範囲】
【請求項１】
記録媒体を移送する移送ベルトを含む移送部と、
前記記録媒体の移送方向を基準として最上流に配置され、前記記録媒体を前記移送ベルトに吸着させる吸着部と、
感光体及び転写ローラを備え、前記記録媒体を複数の色相によって転写する複数の転写部と、
前記記録媒体の転写及び吸着のために、前記転写部及び前記吸着部に電界を形成するための電源を供給する電源供給部と、
前記複数の転写部のうち、前記記録媒体の移送方向を基準として前記吸着部から最も近い第１転写部の下流に配置された第２転写部の抵抗値に対応する電源を、前記複数の転写部に供給するように前記電源供給部を制御する制御部と、
を備えることを特徴とする、画像形成装置。
【請求項２】
前記制御部は、
前記電源の供給によって前記第２転写部及び前記吸着部に流れる電圧または電流の大きさを感知する電圧／電流感知部と、
前記感知された電圧または電流によって前記第２転写部の抵抗値を認識して転写電圧を決定する転写電圧／電流決定部と、
を備えることを特徴とする、請求項１に記載の画像形成装置。
【請求項３】
前記感知部は、
前記吸着部によって前記記録媒体が前記移送ベルトに吸着される場合と吸着されない場合における電圧または電流をそれぞれ感知し、
前記制御部は、
前記感知されたそれぞれの電圧または電流によって前記記録媒体に準ずる抵抗値を認識して、前記電源を供給するように制御する
ことを特徴とする、請求項２に記載の画像形成装置。
【請求項４】
前記制御部は、
前記記録媒体が前記移送ベルトに吸着されない場合の前記第２転写部の抵抗値を認識する時刻と、前記吸着部の抵抗値を認識する時刻と、が重畳するように制御する
ことを特徴とする、請求項１に記載の画像形成装置。
【請求項５】
前記制御部は、
前記記録媒体が前記移送ベルトに吸着されない場合の前記第２転写部の抵抗値と前記吸着部の抵抗値とを同時に認識する
ことを特徴とする、請求項１〜４のいずれかに記載の画像形成装置。
【請求項６】
前記制御部は、
前記第２転写部のうち、前記記録媒体の移送方向を基準として最下流に位置する転写部の抵抗値に対応する電源を供給するように制御する
ことを特徴とする、請求項１に記載の画像形成装置。
【請求項７】
記録媒体を移送する移送ベルトを含む移送部と、
感光体及び転写ローラを備えて前記記録媒体を複数の色相によって転写する複数の転写部と、
前記記録媒体の転写のために前記転写部に電界を形成するための電源を供給する電源供給部と、
前記複数の転写部のうち、前記記録媒体の移送方向を基準として最上流に位置する第１転写部の下流に配置された第２転写部の抵抗値に対応する電源を前記複数の転写部に供給するように前記電源供給部を制御する制御部と、
を備えることを特徴とする、画像形成装置。
【請求項８】
前記制御部は、
前記電源の供給によって前記第２転写部に流れる電圧または電流の大きさを感知する電圧／電流感知部と、
前記感知された電圧または電流によって前記第２転写部の抵抗値を認識して転写電圧を決定する転写電圧／電流決定部と、
を備えることを特徴とする、請求項７に記載の画像形成装置。
【請求項９】
前記制御部は、
前記第２転写部のうち、前記記録媒体の移送方向を基準として最下流に位置する転写部の抵抗値に対応する電源を供給するように制御する
ことを特徴とする、請求項７に記載の画像形成装置。
【請求項１０】
記録媒体を移送する移送ベルトを含む移送部と、前記記録媒体の移送方向を基準として最上流に配置され、前記記録媒体を前記移送ベルトに吸着させる吸着部と、感光体及び転写ローラを備えて前記記録媒体を複数の色相によって転写する複数の転写部と、を備える画像形成装置の転写方法であって、
前記複数の転写部のうち、前記記録媒体の移送方向を基準として前記吸着部から最も近い第１転写部の下流に配置された第２転写部及び前記吸着部に流れる電圧または電流を感知する段階と、
前記感知された電圧または電流によって前記第２転写部及び前記吸着部の抵抗値を認識する段階と、
前記認識された前記第２転写部の抵抗値によって前記記録媒体の転写に必要な電源を決定する段階と、
前記決定された電源を前記複数の転写部に供給する段階と、
を含むことを特徴とする、画像形成装置の転写方法。
【請求項１１】
前記電圧または電流を感知する段階は、
前記吸着部によって前記記録媒体が前記移送ベルトに吸着される場合と吸着されない場合における電圧または電流をそれぞれ感知し、
前記抵抗値を認識する段階は、
前記感知されたそれぞれの電圧または電流によって前記記録媒体に準ずる抵抗値を認識する
ことを特徴とする、請求項１０に記載の画像形成装置の転写方法。
【請求項１２】
前記抵抗値を認識する段階では、
前記記録媒体が前記移送ベルトに吸着されない場合の前記第２転写部の抵抗値を認識する時刻と、前記吸着部の抵抗値を認識する時刻と、が重畳する
ことを特徴とする、請求項１０に記載の画像形成装置の転写方法。
【請求項１３】
前記抵抗値を認識する段階は、
前記記録媒体が前記移送ベルトに吸着されない場合、前記第２転写部及び前記吸着部の抵抗値を同時に認識する
ことを特徴とする、請求項１０〜１２のいずれかに記載の画像形成装置の転写方法。
【請求項１４】
前記電圧または電流を感知する段階では、
前記第２転写部のうち、前記記録媒体の移送方向を基準として最下流に位置する転写部の電圧または電流を感知する
ことを特徴とする、請求項１０に記載の画像形成装置の転写方法。
【請求項１５】
記録媒体を移送する移送ベルトを含む移送部と、感光体と転写ローラを備えた前記記録媒体を複数の色相によって転写する複数の転写部と、を備える画像形成装置の転写方法であって、
前記複数の転写部のうち、前記記録媒体の移送方向を基準として最上流に位置する第１転写部の下流に配置された第２転写部に流れる電圧または電流を感知する段階と、
前記感知された電圧または電流によって前記第２転写部及び前記吸着部の抵抗値を認識する段階と、
前記認識された前記第２転写部の抵抗値によって前記記録媒体の転写に必要な電源を決定する段階と、
前記決定された電源を前記複数の転写部に供給する段階と、
を含むことを特徴とする、画像形成装置の転写方法。
【請求項１６】
前記電圧または電流を感知する段階では、
前記第２転写部のうち、前記記録媒体の移送方向を基準として最下流に位置する転写部の電圧または電流を感知する
ことを特徴とする、請求項１５に記載の画像形成装置の転写方法。
【発明の詳細な説明】
【技術分野】
【０００１】
本発明は画像形成装置および画像形成装置の転写方法に関する。より詳しくは、転写電圧または転写電流を決定する画像形成装置および画像形成装置の転写方法に関する。
【背景技術】
【０００２】
画像形成装置は、コンピュータプログラムなどによって作成された内容を記録媒体に出力するための画像を形成する。具体的に、画像形成装置は、感光媒体に光を走査して静電潜像を形成し、形成された静電潜像を現像剤で現像した後、用紙に転写及び定着させる過程を通じて画像を形成する。
【０００３】
図１は、従来の画像形成装置の転写過程を説明するための図面である。図１に示すように、従来の画像形成装置は、複数の転写部２のうち、吸着部１に最も近く配置されている転写部２ａを基準転写部として、記録媒体を印刷する前のプレプリンティング（Ｐｒｅ−Ｐｒｉｎｔｉｎｇ）過程で最適の転写電圧または転写電流を決定するために、転写部２ａに流れる電流を感知して転写部２ａの抵抗値を認識する。ここで、転写部２ａの抵抗値は、感光体と、該転写部２ａを通過する移送ベルトと、移送ベルトを中心として感光体に対向するように配置され、帯電した感光体に現像されたトナーを記録媒体に転写する転写ローラなどによって認識される。
【０００４】
転写部２ａの抵抗値が認識されると、従来の画像形成装置は、吸着部１に流れる電流を検知して、吸着部１の抵抗値を認識する。ここで、吸着部１の抵抗値は、記録媒体を移送ベルトに吸着させる吸着ローラ（ＡＴＴＲ；Ａｔｔｒａｃｔｉｏｎ  Ｒｏｌｌｅｒ）と、記録媒体が移送ベルトによって転写部２に移送されるようにする駆動ローラなどによって決定される。
【０００５】
最後に、記録媒体が吸着部１に進入する場合、吸着部１に流れる電流を感知して吸着部１の抵抗値を認識することにより、記録媒体に準ずる抵抗値を認識する。このように認識された抵抗値によって、転写に必要な最適の転写電圧を決定する。
【０００６】
ところが、従来の画像形成装置は、吸着部１に最も近接した転写部２ａの抵抗値を認識するので、吸着部１の抵抗値を認識するために、吸着部１に電源が印加される場合、吸着部１から漏洩した電流の影響による交互作用によって転写部２ａの正確な抵抗値を認識し難いという問題がある。
【０００７】
図２は、従来の画像形成装置が記録媒体を転写するのに必要な過程を、時間の経過によって示す図面である。図２に示すように、従来の画像形成装置は、ｔ１〜ｔ２の時刻に転写部２ａの抵抗値を認識し、転写部２ａの抵抗値の認識が完了すれば、ｔ２〜ｔ３の時刻に吸着部１の抵抗値を認識する。そして、記録媒体が吸着部１に進入する前のｔ４〜ｔ５の時刻が経過した後、ｔ５〜ｔ６の時刻に吸着部１に進入する記録媒体の抵抗値を認識する。このように認識された抵抗値を通じて、ｔ６時間の以後に記録媒体に転写を行う。
【０００８】
ここで、吸着部１から漏洩した電流の影響による交互作用によって、転写部２ａの抵抗値と吸着部１の抵抗値とを同時に認識することができず、それぞれｔ１〜ｔ２の時刻及びｔ２〜ｔ３の時刻に別途に認識しなければならない。そのため、記録媒体の印刷のためのプレプリンティング時間が長くなるという問題がある。
【０００９】
【特許文献１】大韓民国特許公開公報１９９９−００３８５５０号明細書
【特許文献２】大韓民国特許公開公報２００５−００６６９８３号明細書
【特許文献３】特開２００３−３１６１０９号公報
【発明の開示】
【発明が解決しようとする課題】
【００１０】
そこで、本発明は、このような問題に鑑みてなされたもので、その目的は、プレプリンティングの過程に必要な時間を最小化しながら正確な転写電圧または転写電流を決定が可能な、新規かつ改良された画像形成装置および画像形成装置の転写方法を提供することにある。
【課題を解決するための手段】
【００１１】
上記課題を解決するために、本発明のある観点によれば、記録媒体を移送する移送ベルトを含む移送部と、前記記録媒体の移送方向を基準として最上流に配置され、前記記録媒体を前記移送ベルトに吸着させる吸着部と、感光体及び転写ローラを備えて前記記録媒体を複数の色相によって転写する複数の転写部と、前記記録媒体の転写及び吸着のために前記転写部及び前記吸着部に電界を形成するための電源を供給する電源供給部と、前記複数の転写部のうち、前記記録媒体の移送方向を基準として前記吸着部から最も近い第１転写部の下流に配置された第２転写部の抵抗値に対応する電源を、前記複数の転写部に供給するように前記電源供給部を制御する制御部と、を備える画像形成装置が提供される。
【００１２】
前記制御部は、前記電源の供給によって前記第２転写部及び前記吸着部に流れる電圧または電流の大きさを感知する電圧／電流感知部と、前記感知された電圧または電流によって前記第２転写部の抵抗値を認識して転写電圧を決定する転写電圧／電流決定部と、を更に備えてもよい。
【００１３】
前記感知部は、前記吸着部によって前記記録媒体が前記移送ベルトに吸着される場合と吸着されない場合における電圧または電流をそれぞれ感知し、前記制御部は、前記感知されたそれぞれの電圧または電流によって前記記録媒体に準ずる抵抗値を認識して、前記電源を供給するように制御してもよい。
【００１４】
前記制御部は、前記記録媒体が前記移送ベルトに吸着されない場合の前記第２転写部の抵抗値を認識する時刻と、前記吸着部の抵抗値を認識する時刻と、が重畳するように制御してもよい。
【００１５】
前記制御部は、前記記録媒体が前記移送ベルトに吸着されない場合の前記第２転写部の抵抗値と前記吸着部の抵抗値とを同時に認識してもよい。
【００１６】
前記制御部は、前記第２転写部のうち、前記記録媒体の移送方向を基準として最下流に位置する転写部の抵抗値に対応する電源を供給するように制御してもよい。
【００１７】
上記課題を解決するために、本発明の別の観点によれば、記録媒体を移送する移送ベルトを含む移送部と、感光体及び転写ローラを備えて前記記録媒体を複数の色相によって転写する複数の転写部と、前記記録媒体の転写のために前記転写部に電界を形成するための電源を供給する電源供給部と、前記複数の転写部のうち、前記記録媒体の移送方向を基準として最上流に位置する第１転写部の下流に配置された第２転写部の抵抗値に対応する電源を前記複数の転写部に供給するように前記電源供給部を制御する制御部と、を備える画像形成装置が提供される。
【００１８】
前記制御部は、前記電源の供給によって前記第２転写部に流れる電圧または電流の大きさを感知する電圧／電流感知部と、前記感知された電圧または電流によって前記第２転写部の抵抗値を認識して転写電圧を決定する転写電圧／電流決定部と、を更に備えてもよい。
【００１９】
前記制御部は、前記第２転写部のうち、前記記録媒体の移送方向を基準として最下流に位置する転写部の抵抗値に対応する電源を供給するように制御してもよい。
【００２０】
上記課題を解決するために、本発明の更に別の観点によれば、記録媒体を移送する移送ベルトを含む移送部と、前記記録媒体の移送方向を基準として最上流に配置され、前記記録媒体を前記移送ベルトに吸着させる吸着部と、感光体及び転写ローラを備えて前記記録媒体を複数の色相によって転写する複数の転写部と、を備える画像形成装置の転写方法であって、前記複数の転写部のうち、前記記録媒体の移送方向を基準として前記吸着部から最も近い第１転写部の下流に配置された第２転写部及び前記吸着部に流れる電圧または電流を感知する段階と、前記感知された電圧または電流によって前記第２転写部及び前記吸着部の抵抗値を認識する段階と、前記認識された前記第２転写部の抵抗値によって前記記録媒体の転写に必要な電源を決定する段階と、前記決定された電源を前記複数の転写部に供給する段階と、を含む画像形成装置の転写方法が提供される。
【００２１】
前記電圧または電流を感知する段階は、前記吸着部によって前記記録媒体が前記移送ベルトに吸着される場合と吸着されない場合における電圧または電流をそれぞれ感知し、前記抵抗値を認識する段階は、前記感知されたそれぞれの電圧または電流によって前記記録媒体に準ずる抵抗値を認識してもよい。
【００２２】
前記抵抗値を認識する段階では、前記記録媒体が前記移送ベルトに吸着されない場合の前記第２転写部の抵抗値を認識する時刻と、前記吸着部の抵抗値を認識する時刻と、が重畳するようにしてもよい。
【００２３】
前記抵抗値を認識する段階は、前記記録媒体が前記移送ベルトに吸着されない場合、前記第２転写部及び前記吸着部の抵抗値を同時に認識してもよい。
【００２４】
前記電圧または電流を感知する段階では、前記第２転写部のうち、前記記録媒体の移送方向を基準として最下流に位置する転写部の電圧または電流を感知してもよい。
【００２５】
上記課題を解決するために、本発明の更に別の観点によれば、記録媒体を移送する移送ベルトを含む移送部と、感光体と転写ローラを備えた前記記録媒体を複数の色相によって転写する複数の転写部と、を備える画像形成装置の転写方法であって、前記複数の転写部のうち、前記記録媒体の移送方向を基準として最上流に位置する第１転写部の下流に配置された第２転写部に流れる電圧または電流を感知する段階と、前記感知された電圧または電流によって前記第２転写部及び前記吸着部の抵抗値を認識する段階と、前記認識された前記第２転写部の抵抗値によって前記記録媒体の転写に必要な電源を決定する段階と、前記決定された電源を前記複数の転写部に供給する段階と、を含む画像形成装置の転写方法が提供される。
【００２６】
前記電圧または電流を感知する段階では、前記第２転写部のうち、前記記録媒体の移送方向を基準として最下流に位置する転写部の電圧または電流を感知してもよい。
【発明の効果】
【００２７】
本発明によれば、吸着部と転写部との間の交互作用に関わらず、記録媒体の転写のために必要な電源を正確に決定できる画像形成装置及びその転写方法が提供される。
【００２８】
そして、吸着部及び転写部の抵抗値を認識するためのプレプリンティングに必要な時間を短縮できる画像形成装置及びその転写方法が提供される。
【発明を実施するための最良の形態】
【００２９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３０】
本発明は、プレプリンティングの過程で吸着部から漏洩した電流の影響を受けない転写部の抵抗値を認識することによって、プレプリンティングの過程に必要な時間を最小化しながら正確な転写電圧または転写電流を決定が可能な、画像形成装置および画像形成装置の転写方法を提供する。
【００３１】
図３は、本発明による画像形成装置１００の構成を示すブロック図であり、図４は、本発明による画像形成装置１００の転写過程を説明するための図面である。
【００３２】
図３に示すように、本発明による画像形成装置１００は、吸着部１０と、転写部２０と、電源供給部３０と、移送部４０と、制御部５０とを含み、ＣＭＹＫそれぞれに対応する転写部を有するプリンティング装置によって実現されることが好ましい。
【００３３】
吸着部１０は、吸着ローラ１２及び駆動ローラ１４を備え、記録媒体が移送ベルト４２によって転写部２０に移送されるように記録媒体を移送ベルト４２に吸着させる。
【００３４】
転写部２０は、感光体２２と、移送ベルト４２を中心として感光体２２に対向するように配置され、帯電した感光体２２に現像されたトナーを記録媒体に転写する転写ローラ２４とを備え、記録媒体を複数の色相によって転写し、移送ベルト４２によって吸着部１０と連結される。ここで、転写部２０は、複数の転写部２０のうち、吸着部１０から最近傍に配置された第１転写部２０ａ、及び記録媒体の移送方向を基準として第１転写部２０ａの下流に配置された第２転写部２０ｂ、２０ｃ、２０ｄとで構成される。本発明による転写部２０は、ＣＭＹＫ（Ｃｙａｎ、Ｍａｇｅｎｔａ、Ｙｅｌｌｏｗ、Ｂｌａｃｋ）に対応するように複数個備えることが好ましい。
【００３５】
電源供給部３０は、記録媒体の吸着及び転写のために、吸着部１０及び転写部２０に電界を形成するための吸着電源（電力）及び転写電源（電力）をそれぞれ供給する。
【００３６】
移送部４０は、移送ベルト４２を含み、記録媒体を吸着部１０から転写部２０に移送する。
【００３７】
制御部５０は、複数の転写部２０のうち、第２転写部２０ｂ、２０ｃ、２０ｄの抵抗値に対応する電源（電力）を複数の転写部２０ａ、２０ｂ、２０ｃ、２０ｄに供給するように、電源供給部３０を制御する。
【００３８】
ここで、制御部５０は、第２転写部２０ｂ、２０ｃ、２０ｄのうちのいずれか一つの抵抗値を認識して、認識された抵抗値に対応する転写電源を供給することが好ましく、その中でも、記録媒体の移送方向を基準として最下流に配置された転写部２０ｄの抵抗値に対応する電源を供給することが好ましい。
【００３９】
本発明による制御部５０は、電源供給部３０からの電源供給によって転写部２０に流れる電圧または電流の大きさを検知する電圧／電流感知部５０ａと、電圧／電流感知部５０ａによって検知された電圧または電流によって第２転写部２０ｂ、２０ｃ、２０ｄの抵抗値を認識して転写電圧または転写電流を決定する転写電圧／電流決定部５０ｂと、を含むことができる。
【００４０】
電圧／電流感知部５０ａは、例えば、転写部２０に流れる電圧または電流を電源供給部３０の側にフィードバックするための回路で構成されることが望ましく、転写電圧／電流決定部５０ｂは、例えば、感知された電圧または電流によって認識された抵抗値を通じて転写電圧または転写電流の大きさを決定するソフトウェアによって実現されることが好ましい。
【００４１】
図５Ａは、吸着部１０に電源が印加される場合と印加されない場合について、それぞれの転写部２０に流れる電流の大きさを示す図面である。図５Ａに示すように、吸着部１０に電源が印加される場合では、吸着部１０と最も近い距離に配置されている転写部２０ａにおいて、吸着部１０に印加される電源による漏洩電流の値は、４．４μＡ（＝８．６μＡ−４．２μＡ）と最も大きく、吸着部１０と最も遠い距離に配置されている転写部２０ｄにおいて、吸着部１０に印加される電源による漏洩電流の値は、０．２μＡ（＝９．１μＡ−８．９μＡ）と最も小さい。
【００４２】
図５Ｂは、吸着部１０及び転写部２０に電源が印加される場合について、それぞれの転写部２０に流れる電流の大きさを転写部２０に印加される電圧の大きさによって示す図面である。図５Ｂに示すように、転写部２０に印加される電圧の大きさが大きいほど、電流の大きさも大きくなる。図５Ｂから明らかなように、吸着部１０と最も近い距離に配置されている転写部２０ａにおいて、吸着部１０に印加される電源による漏洩電流の値は、それぞれ３．９μＡ（９０Ｖの印加時）、４．４μＡ（９００Ｖの印加時）と最も大きく、吸着部１０と最も遠い距離に配置されている転写部２０ｄにおいて、吸着部１０に印加される電源による漏洩電流の値は、それぞれ０．４μＡ（９０Ｖの印加時）、−０．２μＡ（９００Ｖの印加時）と最も小さい。
【００４３】
図５Ｃは、吸着部１０及び転写部２０に電源が印加される場合、それぞれの転写部２０に流れる電流の大きさを、記録媒体の種類によって示す図面である。図５Ｃに示すように、吸着部１０と最も遠い距離に配置されている転写部２０ｄにおいて、記録媒体の種類と関わらず、吸着部１０に印加される電源による漏洩電流の値が最も小さい。
【００４４】
上述のように、転写部２０の抵抗値を認識するためのプレプリンティング過程で、吸着部１０と最も遠い距離に配置されている転写部２０ｄを基準転写部として抵抗値を認識する場合には、交互作用による漏洩電流値が全ての場合において１．０μＡ以下となり、最も小さい。
【００４５】
図６は、本発明による画像形成装置１００が記録媒体を転写するのに必要な過程を時間の経過によって示す図面である。図６に示すように、本発明による画像形成装置１００は、吸着部１０と転写部２０との間の交互作用を最小化することができるので、ｔ１〜ｔ２の時刻に転写部２ａの抵抗値を認識しながら吸着部１の抵抗値を認識することが可能である。つまり、制御部５０は、記録媒体が移送ベルトに吸着されない場合の第２転写部２０ｂ、２０ｃ、２０ｄの抵抗値と吸着部１０の抵抗値とをそれぞれ認識する時刻が重畳するようにでき、第２転写部２０ｂ、２０ｃ、２０ｄの抵抗値と吸着部１０の抵抗値とを同時に認識することができる。
【００４６】
そして、記録媒体が吸着部１に進入する前のｔ３〜ｔ４の時刻が経過した後、ｔ４〜ｔ５の時刻に吸着部１に進入する記録媒体の抵抗値を認識する。このように認識された抵抗値を通じて、ｔ５の時間以後に記録媒体に転写を行う。
【００４７】
したがって、本発明による画像形成装置１００は、電源供給部３０によって印加される転写電源及び吸着電源による転写部２０の抵抗値及び吸着部１０の抵抗値をｔ１〜ｔ２の時刻の間に認識することができるので、プレプリンティングに必要な時間が短縮できる。
【００４８】
勿論、制御部５０は、吸着部１０と最も遠い距離に配置されている転写部２０ｄだけでなく、吸着部１０からの漏洩電圧または漏洩電流値が交互作用に影響を及ぼさない所定値以下の場合であれば、第２転写部２０ｂ、２０ｃを基準転写部として抵抗値を認識することが可能である。つまり、本発明による制御部５０は、記録媒体の移送方向を基準として第１転写部２０ａの下流に配置された転写部２０ｂ、２０ｃ、２０ｄを基準転写部として抵抗値を認識することが可能である。
【００４９】
以下、図７を参照して、本発明による画像形成装置１００の転写方法について説明する。
【００５０】
まず、制御部５０は、吸着部１０及び第２転写部２０ｂ、２０ｃ、２０ｄに流れる電圧または電流を感知する（Ｓ１０）。ここで、制御部５０は、第２転写部２０ｂ、２０ｃ、２０ｄのうちのいずれか一つに流れる電圧または電流を感知することが好ましく、その中でも記録媒体の移送方向を基準として最下流に配置された転写部２０ｄに流れる電圧または電流を感知することが好ましい。
【００５１】
そして、制御部５０は、段階Ｓ１０で感知された電圧または電流によって吸着部１０及び第２転写部２０ｂ、２０ｃ、２０ｄの抵抗値を認識する（Ｓ２０）。制御部５０は、段階Ｓ２０で認識された第２転写部２０ｂ、２０ｃ、２０ｄの抵抗値によって記録媒体の転写に必要な電源を決定する（Ｓ３０）。
【００５２】
そして、制御部５０は、段階Ｓ３０で決定された電源を複数の転写部２０ａ、２０ｂ、２０ｃ、２０ｄに供給するように電源供給部３０を制御する（Ｓ４０）。
【００５３】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５４】
【図１】従来の画像形成装置の転写過程を説明するための断面図である。
【図２】従来の画像形成装置におけるシステム認識過程を説明するための図面である。
【図３】本発明による画像形成装置の構成を示すブロック図である。
【図４】本発明による画像形成装置の転写過程を説明するための図面である。
【図５Ａ】本発明による画像形成装置における交互作用を説明するための図面である。
【図５Ｂ】本発明による画像形成装置における交互作用を説明するための図面である。
【図５Ｃ】本発明による画像形成装置における交互作用を説明するための図面である。
【図６】本発明による画像形成装置のシステム認識過程を説明するための図面である。
【図７】本発明による画像形成装置の転写方法を示すフローチャートである。
【符号の説明】
【００５５】
１０    吸着部
２０    転写部
３０    電源供給部
４０    移送部
５０    制御部
５０ａ    電圧／電流感知部
５０ｂ    転写電圧／電流決定部
【図１】
2008165176.tif 000003
【図２】
2008165176.tif 000004
【図３】
2008165176.tif 000005
【図４】
2008165176.tif 000006
【図６】
2008165176.tif 000007
【図７】
2008165176.tif 000008
【図５Ａ】
2008165176.tif 000009
【図５Ｂ】
2008165176.tif 000010
【図５Ｃ】
2008165176.tif 000011